(57)【特許請求の範囲】
【請求項１】
外装部材に光軸方向に進出・格納可能に保持された可動鏡筒に着脱可能の内側カバー部材と、
該内側カバー部材を覆いつつ当該内側カバー部材に対して光軸方向に往復動可能かつ前記可動鏡筒の格納時において前記外装部材の先端部に対して光軸方向に隙間を開けて先端部が対面ししかも前記光軸方向の隙間が小さくなる方向の外力が生じた時に該光軸方向の隙間が小さくなる方向に変位して前記外装部材の先端部に前記先端部が当接する外側カバー部材とを有し、
前記内側カバー部材と前記外側カバー部材との間に、両カバー部材を離間させる方向に弾発付勢する弾性部材が介在されていることを特徴とするレンズキャップ。
【請求項２】
前記弾性部材がスプリングバネであることを特徴とする請求項１に記載のレンズキャップ。
【請求項３】
前記内側カバー部材が、互いに離反する方向に付勢されかつ前記可動鏡筒への装着時に該可動鏡筒に係合する一対の係合爪部材を有することを特徴とする請求項１又は請求項２に記載のレンズキャップ。
【請求項４】
前記弾性部材の外力による収縮変形最大可能寸法が前記光軸方向の隙間の寸法以上であることを特徴とする請求項１ないし請求項３のいずれか１項に記載のレンズキャップ。
【請求項５】
外装部材と、
該外装部材に光軸方向に進出・格納可能に保持された可動鏡筒と、
該可動鏡筒に着脱可能の内側カバー部材と該内側カバー部材を覆いつつ当該内側カバー部材に対して光軸方向に往復動可能かつ前記可動鏡筒の格納時において前記外装部材の先端部に対して光軸方向に隙間を開けて先端部が対面ししかも前記光軸方向の隙間が小さくなる方向の外力が生じた時に該光軸方向の隙間が小さくなる方向に変位して前記外装部材の先端部に前記先端部が当接する外側カバー部材とからなるレンズキャップとを有し、
前記レンズキャップには、前記内側カバー部材と前記外側カバー部材との間に、両カバー部材を離間させる方向に弾発付勢する弾性部材が介在されていることを特徴とするレンズ鏡胴。
【請求項６】
前記弾性部材の外力による収縮変形最大可能寸法が前記隙間の寸法以上であることを特徴とする請求項５に記載のレンズ鏡胴。
【請求項７】
前記内側カバー部材が、互いに離反する方向に付勢されかつ前記可動鏡筒への装着時に該可動鏡筒に係合する一対の係合爪部材を有し、前記可動鏡筒に前記一対の係合爪部材が係合するネジ溝が形成されていることを特徴とする請求項５又は請求項６に記載のレンズ鏡胴。
【請求項８】
前記可動鏡筒に光学素子を着脱可能に螺合するネジ溝を内周部に有する取付けリング部材が押さえリング部材を介して設けられ、前記内側カバー部材は、互いに離反する方向に付勢されかつ前記可動鏡筒への装着時に該可動鏡筒に係合する一対の係合爪部材を有し、該一対の係合爪部材が前記ネジ溝に係合されることを特徴とする請求項５又は請求項６に記載のレンズ鏡胴。
【請求項９】
前記光学素子が光学フィルタであることを特徴とする請求項８に記載のレンズ鏡胴。
【請求項１０】
前記可動鏡筒にアダプタ取付用マウント部材が押さえリング部材を介して設けられ、前記アダプタ取付用マウント部材とアダプタとの間の隙間を隠蔽する隠蔽用リングキャップ部材を係止するフック部が前記アダプタ取付用マウント部材に形成され、前記内側カバー部材は、互いに離反する方向に付勢されかつ前記可動鏡筒への装着時に該可動鏡筒に係合する一対の係合爪部材を有し、該一対の係合爪部材が前記フック部に係合されることを特徴とする請求項５又は請求項６に記載のレンズ鏡胴。
【請求項１１】
前記内側カバー部材には、該内側カバー部材を前記可動鏡筒に取り付けた状態で光軸に対して直交方向に互いに離間して位置する一対の隠蔽用カバー部と、前記直交方向に延びて前記一対の隠蔽用カバー部を連結する連結橋架部と、前記一対の隠蔽用カバー部の構成壁と前記連結橋架部の構成壁とによって前記一対の係合部材をそれぞれ互いに反対方向に案内する一対の案内空間とが形成され、
前記外側カバー部材には、前記一対の隠蔽用カバー部を覆う一対の装飾用カバー部と、該一対の装飾用カバー部を連結しかつ前記連結橋架部を覆う装飾用連結カバー部とが形成され、
前記一対の係合爪部材には前記案内空間を構成する各構成壁に沿って案内される基体部と、前記装飾用連結カバー部に沿って前記基体部から前記装飾用連結カバー部に向かう外側方向に起立されかつ前記一対の係合爪部材の離反方向に対して該一対の係合爪部材を反対方向に操作するつまみ部とがそれぞれ形成され、
前記一対の係合爪部材は前記外側カバー部材によって包囲されると共に、前記各つまみ部の先端部は、前記レンズキャップを前記可動鏡筒に取り付けた状態で前記装飾用連結カバー部よりも光軸方向外側に突出されていないことを特徴とする請求項８又は請求項１０に記載のレンズ鏡胴。
【請求項１２】
請求項１ないし請求項４のいずれか１項に記載のレンズキャップを有する撮像装置。
【請求項１３】
請求項５ないし請求項１１のいずれか１項に記載のレンズ鏡胴を有する撮像装置。
【発明の詳細な説明】
【技術分野】
【０００１】
本発明は、衝撃緩和機能を有するレンズキャップ及びこのレンズキャップを有するレンズ鏡胴及びそのレンズ鏡胴を用いた撮像装置の改良に関する。
【背景技術】
【０００２】
従来から、撮像装置としてのカメラのレンズ鏡胴には、外装部材としての固定筒に対して使用時には可動鏡筒を繰り出し、非使用時には可動鏡筒を固定筒に格納する構成のものが知られている。
【０００３】
また、可動鏡筒の格納時にレンズキャップを外装部材に当接させることにより、外力による衝撃が直接可動鏡筒に加わるのを防止する構成のものも知られている（例えば、特許文献１参照。）。
【発明の概要】
【発明が解決しようとする課題】
【０００４】
しかしながら、従来構成のものは、レンズキャップに衝撃により外力が加わった場合、可動鏡筒に伝わる外力を吸収緩和できない場合があり、衝撃吸収緩和機能の向上という点で改良の余地がある。
【０００５】
本発明は、上記の事情に鑑みて為されたもので、その目的とするところは、より一層衝撃吸収緩和機能の向上を図ることが可能なレンズキャップ及びそのレンズキャップを用いたレンズ鏡胴及びそのレンズ鏡胴を用いた撮像装置を提供することにある。
【課題を解決するための手段】
【０００６】
本発明に係るレンズキャップ及びレンズ鏡胴は、外装部材に光軸方向に進出・格納可能に保持された可動鏡筒に着脱可能の内側カバー部材と、この内側カバー部材を覆いつつ内側カバー部材に対して光軸方向に往復動可能かつ可動鏡筒の格納時において外装部材の先端部に対して光軸方向に隙間を開けて先端部が対面ししかも光軸方向の隙間が小さくなる方向の外力が生じた時に光軸方向の隙間が小さくなる方向に変位して外装部材の先端部に先端部が当接する外側カバー部材とを有することを特徴とする。
【０００７】
その内側カバー部材と外側カバー部材との間に、両カバー部材を離間させる方向に弾発付勢する弾性部材が介在されていることが望ましい。
その弾性部材はスプリングバネであるのが好ましいが、板バネでも良いし、また、バネは金属製、樹脂製いずれでも良い。
【０００８】
可動鏡筒には、光学フィルター等の光学素子が螺合されるネジ溝が形成され、内側カバー部材は、互いに離反する方向に付勢されかつ可動鏡筒への装着時にこの可動鏡筒のネジ溝に係合する一対の係合爪部材を有する構成としても良い。
その弾性部材の外力による収縮変形最大可能寸法は光軸方向の隙間の寸法以上であることが望ましい。
【０００９】
可動鏡筒に光学素子を着脱可能に螺合するネジ溝を内周部に有する取付けリング部材を押さえリング部材を介して設け、内側カバー部材には、互いに離反する方向に付勢されかつ可動鏡筒への装着時にこの可動鏡筒に係合する一対の係合爪部材を設け、この一対の係合爪部材をネジ溝に係合させる構成としても良い。
【００１０】
可動鏡筒にアダプタ取付用マウント部材を押さえリング部材を介して設け、アダプタ取付用マウント部材とアダプタとの間の隙間を隠蔽する隠蔽用リングキャップ部材を係止するフック部をアダプタ取付用マウント部材に形成し、内側カバー部材には互いに離反する方向に付勢されかつ可動鏡筒への装着時にこの可動鏡筒に係合する一対の係合爪部材を設け、この一対の係合爪部材をフック部に係合させる構成としても良い。
このレンズキャップ、レンズ鏡胴は撮像装置に用いられる。
【発明の効果】
【００１１】
本発明に係るレンズキャップ、レンズ鏡胴によれば、外装部材に光軸方向に進出・格納可能に保持された可動鏡筒に着脱可能の内側カバー部材と、この内側カバー部材を覆いつつ内側カバー部材に対して光軸方向に往復動可能かつ可動鏡筒の格納時において外装部材の先端部に対して光軸方向に隙間を開けて先端部が対面ししかも光軸方向の隙間が小さくなる方向の外力が生じた時に光軸方向の隙間が小さくなる方向に変位して外装部材の先端部に先端部が当接する外側カバー部材とによりレンズキャップを構成としたので、衝撃による外力が直接可動鏡筒に加わるのを確実に緩和できる。
【００１２】
また、外側カバー部材の光軸方向の変位により吸収しきれない衝撃による外力を、その外側カバー部材に当接する外装部材により吸収させることにしたので、衝撃吸収緩和機能の向上を図ることができる。
【００１３】
内側カバー部材と外側カバー部材との間に、両カバー部材を離間させる方向に弾発付勢する弾性部材を介在させる構成とすれば、外力に基づく外側カバー部材の光軸方向の変位を弾性変形エネルギーに確実に変換できるので、より一層衝撃緩和を発揮できる。
【００１４】
更に、外側カバー部材と内側カバー部材とが光軸方向に相対変位可能でかつ格納時に外側カバー部材の先端部と外装部材の先端部との間に必ず隙間が生じる構成であるので、レンズキャップを取り付けたままであっても、可動鏡筒の駆動時に不具合が生じるのを回避できる。
【図面の簡単な説明】
【００１５】
【図１】図１は本発明に係るレンズキャップ及びレンズ鏡胴が適用される撮像装置としてのカメラの外観図を示し、レンズキャップの非装着時の可動鏡筒の格納状態を示す説明図である。
【図２】図２は本発明に係るレンズキャップ及びレンズ鏡胴が適用される撮像装置としてのカメラの外観図を示し、レンズキャップの非装着時の可動鏡筒の進出状態を示す説明図である。
【図３】図３は本発明に係るレンズキャップ及びレンズ鏡胴が適用される撮像装置としてのカメラの外観図を示し、レンズキャップの装着時の可動鏡筒の格納状態を示す説明図である。
【図４】図４は本発明に係るレンズキャップが装着されるカメラの一例を示す縦断面図であって、レンズキャップ非装着時の可動鏡筒の格納状態を示す縦断面図である。
【図５】図５は図３に示すレンズキャップの拡大図であって、そのレンズキャップをカメラの正面側から見た外観図である。
【図６】図６はその図５に示すレンズキャップを背面側から見た外観図である。
【図７】図７は図５に示す外側カバーを取り外して内側カバー部材を目視した状態を示す外観図である。
【図８】図８はその図５、図６に示すレンズキャップの内側カバー部材と外側カバー部材との嵌合関係を説明するための断面図であって、外側カバーに衝撃による外力が加わる前の状態を示す図である。
【図９】図９はその図８に示す外側カバーに衝撃による外力が加わった状態を示す断面図である。
【図１０】図１０は図４に示すレンズ鏡胴の先頭部を拡大して示す部分拡大断面図である。
【図１１】図１１は図７に示す一対の係合爪部材と可動鏡筒との係合関係を示すレンズ鏡胴の先頭部の部分拡大断面図である。
【図１２】図１２は本発明に係るレンズキャップの作用を説明するためのレンズ鏡胴の先頭部の部分拡大断面図であって、レンズキャップに外力が加わっていないときのレンズ鏡胴とレンズキャップとを示す説明図である。
【図１３】図１３は本発明に係るレンズキャップの作用を説明するためのレンズ鏡胴の先頭部の部分拡大断面図であって、レンズキャップに外力が加わったときのレンズ鏡胴とレンズキャップとを示す説明図である。
【図１４】図１４は図７に示す一対の係合爪部材と可動鏡筒との係合関係の他の例を示すレンズ鏡胴の先頭部の部分拡大断面図である。
【発明を実施するための形態】
【実施例】
【００１６】
以下に、本発明に係るレンズキャップ及びレンズ鏡胴の実施例について図面を参照しつつ説明する。
図１ないし図３は、本発明に係るレンズキャップ及びレンズ鏡胴が適用される撮像装置としてのカメラの外観図を示している。
【００１７】
（カメラの外観説明）
図１はレンズキャップの非装着時のカメラの外観図であって、可動鏡筒の格納状態を示す説明図であり、図２はレンズキャップの非装着時のカメラの外観図であって、図１に示す可動鏡筒の進出状態を示す説明図であり、図３は図１に示す可動鏡筒にレンズキャップが取り付けられた状態を示すカメラの外観図である。
【００１８】
その図１ないし図３において、符号１はカメラを示している。このカメラ１はカメラボディ２とレンズユニット３とから構成されている。レンズユニット３はカメラボディ２に対して着脱可能である。
【００１９】
カメラボディ２には、その背面に液晶表示部（図示を略す）が設けられ、カメラボディ２の上部には、電源ボタン４、レリーズボタン５、モードダイヤルスイッチ６等の各種のボタン、スイッチ部材、ストロボ装置が設けられている。
【００２０】
（レンズユニットの内部構造の概略構成）
レンズユニット３は外装部材７を有する。この外装部材７は、図４、図１０ないし図１３に示すように、外筒部材８と固定筒部材９と前側リング部材１３とから概略構成されている。固定筒部材９の内部には、可動鏡筒としての直進筒部材１０が設けられている。この直進筒部材１０にはレンズ保持枠部材１１が設けられている。そのレンズ保持枠部材１１には、レンズ群１２が保持されている。その直進筒部材１０は固定筒部材９に対して光軸方向に進出・格納可能に保持されている。
【００２１】
その固定筒部材９の先端の外周部には、図１ないし図４、図１０ないし図１２に示すように、前側リング部材１３が設けられている。直進筒部材１０には取付けリング部材１４が設けられている。取付けリング部材１４の内周部には環状ネジ溝１５が設けられている。
【００２２】
前側リング部材１３は、取付けリング部材１４の先頭部よりも被写体側に向かって突出形成されている。
その取付けリング部材１４は押さえリング部材１６によって直進筒部材１０に固定されている。図１、図２において、符号１７はその取付けリング部材１４を直進筒部材１０に固定するための固定ネジである。
【００２３】
その環状ネジ溝１５には、光学素子としての光学フィルター（図示を略す）が着脱可能に螺合され得る。この環状ネジ溝１５の被写体側先端部に、図３に示すようにレンズキャップ１８が着脱可能に取り付けられる。
【００２４】
（レンズキャップ１８の構成）
図５ないし図７はそのレンズキャップ１８の詳細構成を示す説明図であって、図５はそのレンズキャップ１８をカメラ正面側から見た外観図、図６はその図５に示すレンズキャップ１８を裏側から見た外観図、図７は図５に示す外側カバーを取り外した状態を示す外観図、図８、図９はその図５、図６に示すレンズキャップの断面図を示している。
レンズキャップ１８は、図６、図７ないし図９、図１２、図１３に示す内側カバー部材１９と、図５、図８、図９、図１１ないし図１３に示す外側カバー部材２０とから構成されている。
【００２５】
外側カバー部材２０は、図５に示すように、外観形状が円弧状を呈する外周部２０ｃを有する一対の扇形状の装飾用カバー部２０ａ、２０ａと、直径方向に延びてこの一対の装飾用カバー部２０ａ、２０ａを連結する装飾用連結カバー部２０ｂとから構成されている。
その一対の装飾用カバー部２０ａ、２０ａと装飾用連結カバー部２０ｂとの間は、後述する係合爪部材をそれぞれ互いに反対方向に案内する一対の案内空間２１となっている。
その一対の案内空間２１は、装飾用連結カバー部２０ｂの延びる方向と直交する方向であってかつ互いに反対方向に向かって開放されている。
【００２６】
内側カバー部材１９は、図６に示すように、本体板部２２と一対の係合爪部材２３とから概略構成されている。
本体板部２２は、外側カバー部材２０に対応する形状を有し、図７に示すように、一対の装飾用カバー部２０ａ、２０ａに対応する形状の一対の扇形状の隠蔽用カバー部２２ａ、２２ａと、装飾用連結カバー部２０ｂに対応する形状の連結橋架部２２ｂと、一対の係合爪部材２３を配設する配設板部２２ｃ（図６参照）とから概略構成されている。
【００２７】
一対の隠蔽用カバー部２２ａ、２２ａには、そのそれぞれに、図７に示すように、一対のネジ穴２３’、ガイド筒２４、弾性部材配設用凹処２５が形成されている。弾性部材配設用凹処２５には弾性部材としてのスプリングコイル２６が配設されている。
ガイド筒２４、弾性部材配設用凹処２５は一対のネジ穴２３’の間に互いに近接して設けられている。
【００２８】
その一対の隠蔽用カバー部２２ａ、２２ａは、内側カバー部材１９を直進筒部材１０に取り付けた状態で光軸方向に互いに離間して位置している。この一対の隠蔽用カバー部２２ａ、２２ａは連結橋架部２２ｂに対して直交する方向に延びて互いに対向する構成壁としての一対のガイド壁部２７をそれぞれ有する。
【００２９】
この一対の構成壁としてのガイド壁部２７と連結橋架部２２ｂの構成壁と配設板部２２ｃとによって、各係合爪部材２３を案内する案内空間２１に対応する案内空間が形成されている。一対のガイド壁部２７にはその延びる方向に適宜所定間隔を開けてガイド片部２８が形成されている。その隠蔽用カバー部２２ａ、２２ａは、内側カバー部材１９に外側カバー部材２０を取り付けた状態で装飾用カバー部２０ａによって被覆され、連結橋架部２２ｂは装飾用連結カバー部２０ｂによって被覆される。
【００３０】
一対の係合爪部材２３は、図７に示すように、基体部２３ａと、この基体部２３ａと一体の一対のリブ部２３ｂと、基体部２３ａと一体のつまみ板部２３ｃと、基体部２３ａと一体の装飾用隠蔽湾曲部２３ｄと、この装飾用隠蔽湾曲部２３ｄと一体の係止片部（図１１参照）２３ｅとを有する。
【００３１】
一対の基体部２３ａは連結橋架部２２ｂを間に挟んでこの連結橋架部２２ｂに対して互いに反対側に位置している
一対のリブ２３ｂはガイド壁部２７とガイド片部２８とに摺接されている。
つまみ板部２３ｃは、図３、図１１に示す装飾用連結カバー部２０ｂに沿って基体部２３ａから装飾用連結カバー部２０ｂに向かう外側方向に起立されている。
【００３２】
このつまみ板部２３ｃは一対の係合爪部材２３の離反方向に対してこの一対の係合爪部材２３を反対方向に操作するのに用いられる。
その係止片部２３ｅには、図８、図９、図１１に示すように、環状ネジ溝１５の先端に係合する係合溝２３ｆがその外周に形成されている。
【００３３】
一対の基体部２３ａには、図７、図１１に示すように、弾性部材配設用の配設凹処２３ｇが形成されている。
この配設凹処２３ｇには、図７、図１１ないし図１３に示すように、弾性部材としてのスプリングコイル２９が配設されている。一対の基体部２３ａには、図１１に示すように配設凹処２３ｇ、２３ｇに向かって突出する装着突起２３ｈが形成されている。
【００３４】
連結橋架部２２ｂには、図７、図１１に示すように、スプリングコイル２９を挿通する挿通空間３０が形成されている。スプリングコイル２９の一側は一方の装着突起２３ｈに装着され、スプリングコイル２９の他側は他方の装着突起２３ｈに装着されている。
一対の基体部２３ａは、このスプリングコイル２９により、互いに離間する方向に弾発付勢されている。
【００３５】
外側カバー部材２０には、図８、図９に示すように、内側カバー部材１９のネジ穴２３’に対向する箇所にネジ取付け筒部３１が形成され、内側カバー部材１９のガイド筒２４に対向する箇所にガイド突起部３２が形成されている。内側カバー部材１９の弾性部材配設用凹処２５に対向する箇所にはスプリングコイル２６の位置決め突起３３が形成されている。
【００３６】
その外側カバー部材２０には、図６に示すようにリブ２３ｂの先端２３ｉと係合するストッパ部３４が形成されている。
その内側カバー部材１９と外側カバー部材２０とは、ネジ部材３５により図６、図８、図９に示すように固定されている。
【００３７】
その内側カバー部材１９と外側カバー部材２０との締結の際、スプリングコイル２９による弾発付勢力に基づき外側カバー部材２０の外周部２０ｃから互いに反対方向に突出する一対の係合爪部材２３の突出量がそのストッパ部３４により規制される。
【００３８】
内側カバー部材１９と外側カバー部材２０とは、スプリングコイル２６により光軸方向に互いに離間する方向に弾発付勢されている。この外側カバー部材２０はガイド筒２４に案内されつつ内側カバー部材１９に対して光軸方向に往復動可能である。
【００３９】
一対の係合爪部材２３は、図３に示すように、外側カバー部材２０の一対の装飾用カバー部２０ａ、２０ａと、装飾用連結カバー部２０ｂとによって包囲されると共に、各つまみ板部２３ｃの先端部２３ｃ’がレンズキャップ１８を直進筒部材１０に取り付けた状態で、装飾用連結カバー部２０ｂよりも光軸方向外側に突出しない構造となっている。
【００４０】
（レンズキャップ１８の直進筒部材１０への着脱）
そのレンズキャップ１８のレンズ鏡胴への装着を以下に説明する。
まず、図７に示す一対のつまみ板部２３ｃを指で摘んで、スプリングコイル２９の弾発付勢力に抗して、一対の係合爪部材２３が互いに近づく方向に力を加える。この状態で、レンズキャップ１８を図１１に示すレンズ鏡胴の直進筒部材１０に宛がって、係止片部２３ｅの係合溝２３ｆを取付けリング部材１４の環状ネジ溝１５に臨ませる。
【００４１】
ついで、一対のつまみ板部２３ｃに加えた力を緩めると、スプリングコイル２９の弾発付勢力により、係止片部２３ｅの係合溝２３ｆの谷と山とが環状ネジ溝１５の山と谷とに食い込む。これにより、レンズキャップ１８は直進筒部材１０に装着される。
【００４２】
レンズキャップ１８を直進筒部材１０から取り外すときには、一対のつまみ板部２３ｃを指で摘んでスプリングコイル２９の弾発付勢力に抗して互いに近づく方向に力を加えて、係止片部２３ｅの係合溝２３ｆと取付けリング部材１４の環状ネジ溝１５との食い込みを解除すれば良い。
【００４３】
（前側リング部材１３の作用）
図１０はレンズキャップ１８をレンズ鏡胴から取り外した状態での直進筒部材１０の格納状態を示す部分拡大図である。
この図１０に示す状態においては、前側リング部材１３は取付けリング部材１４よりも光軸方向被写体側に向かって突出している。
【００４４】
従って、何らかの原因でカメラ１が落下して、レンズ鏡胴部の先頭部が例えば床に当たったとしても、落下時の衝撃が前側リング部材１３に加わり、取付けリング部材１４に加わることが回避される。従って、直進筒部材１０に直接衝撃力が加わることが回避される。
【００４５】
（レンズキャップ１８の作用）
次に、本発明に係るレンズキャップ１８をレンズ鏡胴に装着し、直進筒部材１０を固定筒部材９に格納した状態で、レンズキャップ１８に衝撃が加わった場合の作用を、図８、図９、図１２、図１３を参照しつつ説明する。
【００４６】
図１２、図１３は、レンズ鏡胴にレンズキャップ１８を装着した状態でかつ直進筒部材１０を固定筒部材９に格納した状態を示す部分拡大図であり、図８、図１２はレンズキャップ１８に、衝撃により光軸方向の外力が加わる前の状態を示し、図９、図１３はレンズキャップ１８に衝撃により光軸方向の外力Ｆが加わった状態を示している。
【００４７】
レンズキャップ１８に光軸方向からレンズ鏡胴に向かう方向への外力が加わっていない状態においては、直進筒部材１０を固定筒部材９に格納した状態で、外側カバー部材２０の外周部２０ｃの先端部２０ｃ’と前側リング部材１３の先端部１３ａとの間には、光軸方向の隙間Ｈが生じている。
【００４８】
すなわち、外側カバー部材２０の外周部２０ｃは内側カバー部材１９を覆いかつ光軸方向に往復動可能でしかも直進筒部材１０の格納時において直進筒部材１０の外装部材７の一部を構成する前側リング部材１３に対して光軸方向の隙間Ｈを開けて対面している。
【００４９】
従って、何らかの原因で、衝撃による光軸方向の外力Ｆがレンズキャップ１８に加わると、スプリングコイル２６の弾発付勢力に抗して、外側カバー部材２０が隙間Ｈを狭める方向に変位する。その際、スプリングコイル２６が縮み変形するため、このスプリングコイル２６によりその衝撃力が吸収される。
【００５０】
スプリングコイル２６により吸収し切れない衝撃が加わった場合には、図１３に示すように、外側カバー部材２０の外周部２０ｃの先端部２０ｃ’と前側リング部材１３の先端部１３ａとの光軸方向の隙間Ｈが消失し、その外周部２０ｃの先端部２０ｃ’が前側リング部材１３の先端部１３ａに当接する。
【００５１】
従って、内側カバー部材１９に直接衝撃による外力Ｆが加わることが緩和され、精密部材としての直進筒部材１０の破損等が防止される。
なお、この場合、図８に示すように、スプリングコイル２６の外力Ｆによる光軸方向の収縮変形最大可能寸法ｈが隙間Ｈ以上であることが望ましい。
【００５２】
更に、この実施例では、図１１に示すように、一対の係合爪部材２３のつまみ板部２３ｃの先端部２３ｃ’が外側カバー部材２０の装飾用連結カバー部２０ｂから突出しないように構成されているので、何らかの原因で、衝撃による光軸方向の外力Ｆがレンズキャップ１８に加わったとしても、一対の係合爪部材２３に直接光軸方向の外力Ｆが加わることが回避され、従って、直進筒部材１０の破損等が確実に防止される。
【００５３】
特に、この実施例では、図９に示す外側カバー部材２０の外力Ｆにより内側カバー部材１９に向かっての最大変位後も、一対の係合爪部材２３のつまみ板部２３ｃの先端部２３ｃ’は外カバー部材２０の装飾用連結カバー部２０ｂから光軸方向外側に突出していないので、直進筒部材１０に直接外力Ｆが加わることが確実に回避される。
【００５４】
（実施例の効果）
この実施例に係るレンズキャップ１８、レンズ鏡胴によれば、外装部材７に光軸方向に進出・格納可能に保持された直進筒部材１０に着脱可能の内側カバー部材１９と、この内側カバー部材１９を覆いつつ内側カバー部材１９に対して光軸方向に往復動可能かつ直進筒部材１０の格納時において外装部材７の先端部１３ａに対して光軸方向に隙間Ｈを開けて先端部２０ｃ’が対面ししかも光軸方向の隙間Ｈが小さくなる方向の外力Ｆが生じた時に光軸方向の隙間Ｈが小さくなる方向に変位して外装部材７の先端部１３ａに先端部２０ｃ’が当接する外側カバー部材２０とによりレンズキャップ１８を構成としたので、衝撃による外力Ｆが直接直進筒部材１０に加わるのを確実に緩和できる。
【００５５】
また、衝撃による外力Ｆを外側カバー部材２０の変位とこの外側カバー部材２０に当接する外装部材７とにより光軸方向の変位により吸収しきれない衝撃による外力Ｆを吸収させることにしたので、衝撃吸収緩和機能の向上を図ることができる。
【００５６】
内側カバー部材１９と外側カバー部材２０との間に、両カバー部材１９、２０を離間させる方向に弾発付勢するスプリングコイル２６を介在させているので、外力Ｆに基づく外側カバー部材２０の光軸方向の変位を弾性変形エネルギーに確実に変換できることになり、より一層衝撃緩和を発揮できる。
【００５７】
更に、外側カバー部材２０と内側カバー部材１９とが光軸方向に相対変位可能であるので、レンズキャップ１８をレンズ鏡胴に取り付けた状態で、直進筒部材１０の駆動中に外側カバー部材２０に外力Ｆが加わった場合でも、内側カバー部材２０に直接負荷が加わるのを回避できる。
【００５８】
以上実施例について説明したが、前側リング部材１３は外筒部材８又は固定筒部材９と一体形成しても別体形成しても良い。また、スプリングコイル２６、２９は金属製でも樹脂製でも良い。更に、スプリングではなく、板バネであっても良い。
【００５９】
（他の実施例）
図１４は本発明に係るレンズ鏡胴の他の例を示す部分拡大図であって、この例では、直進筒部材１０にアダプタ取付用マウント部材３６が押さえリング部材１６を介して取付けられている。
【００６０】
この例では、アダプタ取付用マウント部材３６とアダプタ（図示を略す）との間の隙間Ｈ’を隠蔽して、アダプタ取付用マウント部材３６の見栄えを確保するための隠蔽用リングキャップ部材（図示を略す）を係止するフック部３６ａがアダプタ取付用マウント部材３６に形成されている。レンズキャップ１８の係合溝２３ｆは、この例では、このフック部３６ａに係合される。
【００６１】
なお、その他の構成、作用は、図１１に示すレンズ鏡胴と同一なので、同一構成要素に同一符号を付してその詳細な説明は省略する。
【符号の説明】
【００６２】
７…外装部材
１０…直進筒部材（可動鏡筒）
１８…レンズキャップ
１９…内側カバー部材
２０…外側カバー部材
Ｈ…隙間
Ｆ…外力
【先行技術文献】
【特許文献】
【００６３】
【特許文献１】特開２００９−２８２３９２号公報
【図１】
0005594061.tif 000002
【図２】
0005594061.tif 000003
【図３】
0005594061.tif 000004
【図４】
0005594061.tif 000005
【図５】
0005594061.tif 000006
【図６】
0005594061.tif 000007
【図７】
0005594061.tif 000008
【図８】
0005594061.tif 000009
【図９】
0005594061.tif 000010
【図１０】
0005594061.tif 000011
【図１１】
0005594061.tif 000012
【図１２】
0005594061.tif 000013
【図１３】
0005594061.tif 000014
【図１４】
0005594061.tif 000015